(57)【特許請求の範囲】
【請求項１】
インターネットに接続し、その接続した携帯端末向けサイトのＷＥＢページを表示する第１ブラウザ及びパソコン向けサイトのＷＥＢページを表示する第２ブラウザと、前記ＷＥＢページを表示する長方形の表示部を備えた携帯端末において、
前記ブラウザを起動する際に前記表示部の向きを検知する検知手段と、
この検知手段により前記表示部が横向きであると検知された場合は前記第２ブラウザを選択する選択手段と、
この選択手段で選択されたブラウザを起動させる制御手段とを備えたことを特徴とする携帯端末。
【請求項２】
インターネットに接続し、その接続した携帯端末向けサイトのＷＥＢページを表示する第１ブラウザ及びパソコン向けサイトのＷＥＢページを表示する第２ブラウザと、前記ＷＥＢページを表示する長方形の表示部を備えた携帯端末において、
前記ブラウザを起動する際に前記表示部の向きを検知する検知手段と、
この検知手段により前記表示部が横向きではないと検知された場合は前記第１ブラウザを選択する選択手段と、
この選択手段で選択されたブラウザを起動させる制御手段とを備えたことを特徴とする携帯端末。
【請求項３】
前記検知手段の検知した向きに応じて、前記表示部の現在の左上端部と表示するＷＥＢページの左上端部とをあわせた表示とすることを特徴とする請求項１又は２に記載の携帯端末。
【請求項４】
前記検知手段により前記表示部が横向きではないと検知された場合は、前記選択手段は前記第１ブラウザを選択することを特徴とする請求項１又は３に記載の携帯端末。
【請求項５】
前記検知手段は、加速度センサ、又は、表示部が縦向きから横向きに回動可能な構造のものであればその回動した表示部の方向を検知するセンサであることを特徴とする請求項１乃至４に記載の携帯端末。
【請求項６】
インターネットに接続し、その接続したサイトの携帯端末向けＷＥＢページを表示する第１ブラウザ及びパソコン向けサイトのＷＥＢページを表示する第２ブラウザと、前記ＷＥＢページを表示する長方形の表示部を備えた携帯端末の制御方法において、
前記ブラウザを起動する際に前記表示部の向きを検知する検知ステップと、
この検知ステップにより前記表示部が横向きであると検知された場合は前記第２ブラウザを選択する選択ステップと、
この選択ステップで選択されたブラウザを起動させる制御ステップと
を備えたことを特徴とする携帯端末の制御方法。
【請求項７】
インターネットに接続し、その接続したサイトの携帯端末向けＷＥＢページを表示する第１ブラウザ及びパソコン向けサイトのＷＥＢページを表示する第２ブラウザと、前記ＷＥＢページを表示する長方形の表示部を備えた携帯端末の制御方法において、
前記ブラウザを起動する際に前記表示部の向きを検知する検知ステップと、
この検知ステップにより前記表示部が横向きではないと検知された場合は前記第１ブラウザを選択する選択ステップと、
この選択ステップで選択されたブラウザを起動させる制御ステップと
を備えたことを特徴とする携帯端末の制御方法。
【請求項８】
前記検知ステップの検知した向きに応じて、前記表示部の現在の左上端部と表示するＷＥＢページの左上端部とをあわせた表示とする表示ステップを、更に備えたことを特徴とする請求項６又は７に記載の携帯端末の制御方法。
【請求項９】
前記検知ステップにより前記表示部が横向きではないと検知された場合は、前記選択ステップでは前記第１ブラウザを選択することを特徴とする請求項６又は８に記載の携帯端末の制御方法。
【請求項１０】
前記検知ステップで使用されるセンサを、加速度センサ、又は、表示部が縦向きや横向きに回動する構造のものであればその回動した表示部の方向を検知するセンサとしたことを特徴とする請求項６乃至９の何れかに記載の携帯端末の制御方法。
【発明の詳細な説明】
【技術分野】
【０００１】
この発明は、インターネット上のサイトを複数のブラウザで閲覧できる携帯端末及びこの端末の制御方法に関する。
【背景技術】
【０００２】
携帯端末において、インターネット上のＷＥＢページを表示できるものは、例えば、特開２００２−００７４２６号公報（特許文献１）に記載されている。
【０００３】
この第1特許文献に記載の携帯端末は、ブラウザを備えているため、インターネット上のＷＥＢページを表示させてサイトを閲覧できるものである。
【０００４】
また、携帯端末において、複数のブラウザを備え、これらのブラウザを利用してインターネット上のＷＥＢページを表示できるものは、例えば、特開２００６−３５０８３１号公報（特許文献２）に記載されている。
【０００５】
この特許文献２に記載の携帯端末では、一方のブラウザが、他方のブラウザより高機能で、扱うことのできる画像の種類が多く、また、画像及びアニメーション等に対する高機能なデータ処理を行うことができるものである。
【０００６】
また、画面の傾きを検知する検知センサを備え、この検知センサでの検知結果に応じて画面の表示方法を切り替えるようにした情報端末機は、例えば、特開２００６−１３５７９４号公報（特許文献３）に記載されている。
【０００７】
この特許文献３に記載の情報端末機では、縦長の表示器を備えており、この情報端末機が縦向きの状態の場合は縦向きの表示、例えば文字を縦書きの表示とし、端末機が横向きの状態の場合は横向きの表示、例えば文字を横書きの表示とするものである。
【０００８】
【特許文献１】特開２００２−００７４２６号公報
【特許文献２】特開２００６−３５０８３１号公報
【特許文献３】特開２００６−１３５７９４号公報
【発明の開示】
【発明が解決しようとする課題】
【０００９】
前記第１特許文献に記載の携帯端末では、２種類のブラウザを備えたものではないので、携帯端末向けのサイト又はパソコン向けのサイトの何れか一方しか閲覧することはできないと云う欠点がある。
【００１０】
また、特許文献２に記載の携帯端末では、２種類のブラウザを備えているので、例えば、携帯端末向けサイトとパソコン向けサイトとのＷＥＢページを表示させて閲覧できると考えられるが、一般的な縦型の表示部でパソコン向けサイトのＷＥＢページを表示させた場合、その左側の上部しか表示できない場合が多いため、全体を表示させるためには右方向や、下方向にスクロールしなければ、ＷＥＢページの全体を閲覧することができなかった。このため、パソコン向けサイトのＷＥＢページを閲覧する場合は、煩わしいキー操作が多くなる恐れがあった。
【００１１】
また、特許文献３に記載の携帯端末では、携帯端末の表示部の向けた方向に応じて、その画面の表示方向を変える技術が開示されているが、２種類のブラウザを備えた携帯端末に関するものではなく、特許文献２と同様に、表示部を縦方向に向けた場合でパソコン用サイトを閲覧する場合には、その左側の上部だけしか表示できず、サイトの全体を閲覧するためには、右方向や下方向にスクロールする必要が生じ、煩わしいキー操作が解消されたものではない。
【００１２】
この発明は、上記課題を解決するものであって、複数のブラウザを備えた携帯端末において、煩わしいキー操作なしにブラウザの制御を可能とするものである。
【課題を解決するための手段】
【００１３】
本発明は上記課題を解決するためのものであって、本発明の携帯端末は、インターネットに接続し、その接続した携帯端末向けサイトのＷＥＢページを表示する第１ブラウザ及びパソコン向けサイトのＷＥＢページを表示する第２ブラウザと、前記ＷＥＢページを表示する長方形の表示部を備えた携帯端末において、前記ブラウザを起動する際に前記表示部の向きを検知する検知手段と、この検知手段により前記表示部が横向きであると検知された場合は前記第２ブラウザを選択する選択手段と、この選択手段で選択されたブラウザを起動させる制御手段とを備えたものである。
また、本発明の携帯端末は、インターネットに接続し、その接続した携帯端末向けサイトのＷＥＢページを表示する第１ブラウザ及びパソコン向けサイトのＷＥＢページを表示する第２ブラウザと、前記ＷＥＢページを表示する長方形の表示部を備えた携帯端末において、前記ブラウザを起動する際に前記表示部の向きを検知する検知手段と、この検知手段により前記表示部が横向きではないと検知された場合は前記第１ブラウザを選択する選択手段と、この選択手段で選択されたブラウザを起動させる制御手段とを備えたものである。
【００１４】
また、本発明の携帯端末の制御方法では、インターネットに接続し、その接続したサイトの携帯端末向けＷＥＢページを表示する第１ブラウザ及びパソコン向けサイトのＷＥＢページを表示する第２ブラウザと、前記ＷＥＢページを表示する長方形の表示部を備えた携帯端末の制御方法において、前記ブラウザを起動する際に前記表示部の向きを検知する検知ステップと、この検知ステップにより前記表示部が横向きであると検知された場合は前記第２ブラウザを選択する選択ステップと、この選択ステップで選択されたブラウザを起動させる制御ステップとを備えたものである。
また、本発明の携帯端末の制御方法は、インターネットに接続し、その接続したサイトの携帯端末向けＷＥＢページを表示する第１ブラウザ及びパソコン向けサイトのＷＥＢページを表示する第２ブラウザと、前記ＷＥＢページを表示する長方形の表示部を備えた携帯端末の制御方法において、前記ブラウザを起動する際に前記表示部の向きを検知する検知ステップと、この検知ステップにより前記表示部が横向きではないと検知された場合は前記第１ブラウザを選択する選択ステップと、この選択ステップで選択されたブラウザを起動させる制御ステップとを備えたものである。
【発明の効果】
【００１５】
このように構成された本発明によれば、次に記載するような効果を奏する。
【００１６】
この発明による携帯端末やこの端末の制御方法によれば、そのブラウザに関して、携帯端末の表示部の向きに応じて適したブラウザを自動的に選択して起動させるので、携帯端末の操作を、ブラウザを選択する手間を省いた簡単なものとすることができる。しかも、この発明による携帯端末やこの端末の制御方法によれば、キー操作がより簡単なブラウザを自動的に選択して起動させることもできる。
【発明を実施するための最良の形態】
【００１７】
本発明の第１実施形態について図1に基づき説明する。
【００１８】
図1は、第１実施形態を示す概略構成図であり、この図１に示す１０１は携帯端末である。
【００１９】
１０２は表示部で、縦長の（長方形の）表示部である。１０３は第１ブラウザ、１０４は第２ブラウザで、両ブラウザ１０３、１０４はインターネットに接続し、その接続したサイトのＷＥＢページを表示部１０２で表示するためのものである。前記第1ブラウザは携帯端末向けサイトのＷＥＢページを表示するための携帯端末用ブラウザであり、前記第２ブラウザは携帯端末でパソコン向けサイトのＷＥＢページを表示するためのパソコン用ブラウザである。
【００２０】
１０５は検知手段で、前記ブラウザを起動する際に前記表示部１０２の向きを検知する。１０６は選択手段で、この選択手段は前記検知手段の検知結果に応じて、第１ブラウザ、第２ブラウザのうち一方を選択する。１０７は、この選択手段１０６で選択されたブラウザを起動させる制御手段である。
【００２１】
このように構成された携帯端末１０１では、ユーザの操作によりそのブラウザの起動時に、表示部１０２が縦になっているか、横になっているかを、検知手段１０５が検知する。この検知手段１０５の検知結果に応じて、選択手段１０６が前記第１ブラウザと第２ブラウザのうち一方を選択し、その選択されたブラウザを制御手段１０７が自動的に起動させる。このため、ユーザがメニュー画面から起動を希望するブラウザを指定するキー操作などを必要とせず、ブラウザの起動を容易にすることができる。
【００２２】
また、表示部１０２の向きにより、その表示部１０２の向きに応じたブラウザが選択手段１０６により選択されるため、最適なブラウザ、即ち、よりキー操作が少なくても全体を閲覧できるブラウザが、自動的に選択され、起動する。
【００２３】
このように、この発明によれば、携帯端末１０１の操作を、ブラウザを選択する手間を省いた簡単な操作にすることができる。しかも、キー操作がより簡単なブラウザを自動的に選択して起動させることができ、携帯端末１０１をユーザにとって使い易いものとすることができる。
【００２４】
次に本発明の第２実施形態について説明する。
【００２５】
図２〜図９は第２実施形態に関する図で、図２は第２実施形態を示す携帯端末の斜視図、図３は同第２実施形態の携帯端末を示す機能ブロック図である。
【００２６】
図２に示す２０１は携帯端末で、携帯電話に適用している。２０２は上部筐体、２０３は下部筐体、２０４は上部筐体２０２と下部筐体２０３とつなぐヒンジ部である。
【００２７】
２０５は表示部で、縦長の液晶表示器を使用しており、その解像度は縦800ピクセル、横480ピクセルのいわゆるWVGA（Wide Video Graphics Array）のものを使用している。２０６、２０７、２０８、２０９は、夫々表示画面上、表示画面右、表示画面下、表示画面左である。２１０は表示部２０５の方向を検知する検知手段としてのセンサで、上部筐体２０２に配置されており、センサとして、例えば、加速度センサを用いている。このセンサ２１０により、表示画面上２０６が下方向（Ａ方向）であるか、表示画面右２０７が下方向（Ｂ方向）であるか、表示画面下２０８が下方向（Ｃ方向）であるか、表示画面左２０９が下方向（Ｄ方向）であるかを、検知している。２１１は上部筐体２０２の上部に配置した受話部で、スピーカを使用している。
【００２８】
２１２は下部筐体２０３に配置したキー操作部で、図示を省略した十字キー及び機能キーや、図示した数字キーを備えている。２１３は下部筐体２０３の下部に配置した通話部で、マイクを使用している。
【００２９】
図３に示す３０１はアンテナ、３０２は無線部で、この無線部は、音声通信やデータ通信に利用される。インターネットに接続する際には、この無線部３０２でデータ通信されるものである。
【００３０】
３０３はＲＯＭ（Read Only Memory）で、この携帯端末２０１で読み出し専用のデータやプログラム（第１ブラウザ及び第２ブラウザのプログラムも含む）が記憶されている。３０４はＲＡＭ（Random Access Memory）で、読み出しだけでなく、書き換え可能なデータやプログラムや、追加で記憶させるデータやプログラムが記憶されている。３０５は制御部で、ＣＰＵ（Central Processing Unit）等で構成されており、制御手段としての機能や、選択手段としての機能も備えている。
【００３１】
前記第1ブラウザとして携帯端末用のブラウザと、第２ブラウザとしてパソコン用ブラウザとのプログラムを、前記ＲＯＭ３０３に記憶している。
【００３２】
前記ブラウザとは、WWW（World Wide Web）ブラウザと呼ばれたり、ウェブブラウザと呼ばれたりすることもあり、ＷＥＢページを閲覧するためのアプリケーションソフトである。そしてインターネット上に保管されているHTML（Hyper Text Markup Language）ファイルや画像ファイル、音楽ファイルなどをダウンロードし、レイアウトを解析して表示・再生できるものである。
【００３３】
また、前述の携帯端末用ブラウザとは、携帯端末向けに、テキスト主体で、かつ、容量の小さめの画像使用しているＷＥＢページを閲覧するためのソフトウェアで、例えば、ｉモード（NTT DoCoMo社のサービス名）、ＥＺｗｅｂ（KDDＩ社のサービス名）、Yahoo！ケータイ（SoftBank社のサービス名）というサービスを利用する際に使用するための携帯端末用ブラウザである。
【００３４】
更に、パソコン用ブラウザとは、携帯端末でパソコン向けに作成されたＷＥＢページを閲覧するためのソフトウェアで、例えば、ＰＣサイトビューアー（KDDI社で使用されている名称）、ＰＣサイトブラウザ（SoftBank社で使用されている名称）、フルブラウザ（NTT DoCoMo社や、ウィルコム社で使用されている名称）等と呼ばれているブラウザである。
【００３５】
図４は第２実施形態の携帯端末の動作を示すフローチャートである。ユーザにより、ブラウザを起動させるキー操作がなされると、ステップ（以下「ステップ」を「Ｓ」と記す）４０１で、センサ２１０が画面の下方向を検知する。次に、Ｓ４０２で、その検知した下方向が、表示画面下２０８か、表示画面上２０６か、表示画面左２０９か、表示画面下２０８かを判別する。角度が１度ずれるとこれら以外のものというような厳密な判別を行っておらず、例えば１０〜２０度の幅を持たせた判別としている。しかし、これらの幅の範囲にも入らないような方向の場合、例えば、携帯端末を斜めに持っている場合などは、上記以外であると判別している。
【００３６】
Ｓ４０２で検知した下方向が表示画面下２０８と判別された場合、Ｓ４０３で制御部３０５が携帯端末用ブラウザ（第１ブラウザ）を起動させる。
【００３７】
また、Ｓ４０２で検知した下方向が表示画面上２０６と判別された場合、Ｓ４０４で制御部３０５が携帯端末用ブラウザ（第１ブラウザ）を起動させる。
【００３８】
また、Ｓ４０２で検知した下方向が表示画面左２０９と判別された場合、Ｓ４０５で制御部３０５がパソコン用ブラウザ（第２ブラウザ）を起動させる。
【００３９】
また、Ｓ４０２で検知した下方向が表示画面右２０７と判別された場合、Ｓ４０６で制御部３０５がパソコン用ブラウザ（第２ブラウザ）を起動させる。
【００４０】
また、Ｓ４０２で検知した下方向が表示画面下２０８、表示画面上２０６、表示画面左２０９、表示画面右２０７以外と判断された場合、Ｓ４０７で制御部３０５が携帯端末用ブラウザ（第２ブラウザ）を起動させる。
【００４１】
そして、制御部３０５が携帯端末用ブラウザか又はパソコン用ブラウザを起動させると、ブラウザの起動に関する制御は終了する。
【００４２】
図５、図６、図７はブラウザが起動した状態を示す概略図である。図２に示す携帯端末のヒンジなどの一部を省略した図面のため、概略図と記載している。
【００４３】
図５は携帯端末用ブラウザが起動した状態を示す概略図で、図４のＳ４０３の制御がなされた後の概略図である。図５を見ると判るように、文字を主体としたメニューが表示されており、携帯端末向けサイトのＷＥＢページが表示されていることが判る。５０１は、この状態における表示部２０５の画面左上端部で、ＷＥＢページの左上端部とあわせた表示としており、表示部２０５が縦向きなのに、実際の画面表示が横向きになっているような、表示部２０５の方向と画面の表示の方向とが合っていない不具合は防止されている。
【００４４】
図６はパソコン用ブラウザが起動した状態を示す概略図で、図４のＳ４０５の制御がなされた後の概略図である。６０１は画面左上端部で、この状態における表示部２０５の左上端部で、ＷＥＢページの左上端部とあわせた表示としており、表示部２０５の向きと、実際の画面表示の向きとが合った表示となっている。
【００４５】
図７はパソコン用ブラウザが起動した状態を示す概略図で、図４のＳ４０６の制御がなされた後の概略図である。７０１は画面左上端部で、この状態における表示部２０５の左上端部で、ＷＥＢページの左上端部とあわせた表示となっており、表示部２０５の向きと、実際の画面表示の向きとが合った表示となっている。
【００４６】
尚、図４のＳ４０４の制御がなされた後の概略図の記載は省略する。また、図４のＳ４０７の制御がなされた後の概略図は図５と同じか、或いは、Ｓ４０４の制御がなされた後の概略図と同じため、その記載は省略する。
【００４７】
ブラウザの起動は、このように携帯端末２０１に自動判断させて起動させる方法の他にも、特定のブラウザをユーザが指定して起動させることができる機能も搭載している携帯端末が一般的であり、この携帯端末２０１もこのブラウザを指定して起動させることができる機能を搭載している。
【００４８】
図８は、表示部を縦向きにした状態でユーザがパソコン用ブラウザを起動させた例を示す説明図、図９は表示部を横向きにした状態で制御部が３０５パソコン用ブラウザを起動させた例を示す説明図である。
【００４９】
パソコン向けのサイトのＷＥＢページは、その横サイズは、800ピクセル以上のものもあるが、図８に示すように横800ピクセルで作られているものが非常に多い。
【００５０】
一般的な携帯端末は、縦長の表示部を搭載しているため、図８のように画像を全て表示しきれなかったり、ＷＥＢページのフレーム構成がうまく表示されなかったりすることが多い。図８の場合、ＷＥＢページの右側の部分と、下側の部分とが表示しきれていないため、Ｘ１方向（右方向）のスクロールや、Ｙ１方向（下方向）のスクロールが必要で、全体のイメージを把握するために、ユーザは何度もキーを押す操作が必要となる。このように、ＷＥＢページ全体の確認をするには、キー操作が多く必要となるため、キー操作が煩雑になっていた。
【００５１】
そこで、横長の画面表示をする機能が備わっており、更に解像度がＷＶＧＡの表示部２０５を持つ本願の携帯端末２０１であれば、図９に示すように、下側の部分が表示できない場合もあるが、図８に示すものに比べて、オリジナルの表示に近い状態で、パソコン向けサイトのＷＥＢページを閲覧することが出来る。図９を見ると判るように、下側の部分が表示しきれていないため、下の部分の確認をするためにはＹ２方向（下方向）へのスクロールが必要ではあるが、上部ではそのＷＥＢページの全幅が表示されているため、ページの上部全体の把握をし易いものである。
【００５２】
つまり、横幅が800ピクセルで作成されているＷＥＢページの閲覧時では、Ｙ２方向のスクロールだけで、比較的大きなＷＥＢページを表示して、確認をすることができ、操作性を向上させることができると共に、ＷＥＢページの確認を容易にすることができる。
【００５３】
尚、この第２実施形態では、起動するブラウザを、ユーザのキー操作のときに、センサがその表示部２０５の方向を検知するものである。そして、通常は表示部２０５が縦方向の状態でキー操作し、パソコン向けＷＥＢページを閲覧する場合は、ユーザがその後携帯端末を横向きにする（表示部を横向きにする）ことが考えられる。つまり、ブラウザを起動させるキー操作をしたときと、実際に使用する方向に携帯端末２０１を向けるときとが、時間的に少々ずれることも考えられる。このずれがあっても最適なブラウザが選択されるように、センサ２１０の検知するタイミングを、キー操作から少々遅延させて、最適なブラウザが選択されるように構成しても構わない。
【００５４】
次に本発明の第３実施形態について説明する。
【００５５】
図１０は本発明の第３実施形態の携帯端末における表示部を回動させた際にパソコン用ブラウザを起動させた状態を示す概略図である。尚、十字キーなどを備えているが、この概略図への記載を省略している。
【００５６】
この第３実施形態において、第２実施形態と違う部分は、その携帯端末１００１の構造で、特に縦長の表示部１００２を有する上部筐体１００３を縦向きから横向きへと回動できるよう軸止めされているものであり、縦長の表示部１００２から横長の表示部１００２に可動させることができることが大きく異なる。
【００５７】
この図１０において、上部筐体１００３は、図示しない軸で止められ、かつ、この軸を上下に動かせる状態で上部筐体１００３（表示部１００２）を横向きや縦向きにすることができるものである。上部筐体１００３の表面と、下部筐体１００４の表面とはほぼ面一になるような位置関係のため、回動時に、上部筐体１００３の角部１００５が下部筐体１００４にぶつからないようにするために、軸が上下に動くように構造で支持されている。
【００５８】
この携帯端末１００１では、その端末の下部筐体１００４を手で握った状態や、この下部筐体１００４を図１０に示すような状態で、使用することが多いと考えられる。そしてこの第３実施形態では、その表示部の向きをメカ的に検知するセンサとして、例えば、図１０に示すように表示部１００２（上部筐体１００３）を回動させた状態でＯＮするスイッチ式のメカニカルセンサを用いている（図示せず）。また、表示部１００２を回動させない状態では、このセンサはＯＦＦするものである。
【００５９】
このように構成された携帯端末１００１では、図１０に示すように表示部１００２が横向きであるとセンサが検知すると、制御部がパソコン用ブラウザを起動させる。また、図示しないが表示部１００２が縦向きであるとセンサが検知すると、制御部が携帯端末用ブラウザを起動させる。
【００６０】
このように、表示部１００２を縦向きにしてブラウザを起動させた場合は、第２実施形態の携帯端末同様、制御部がパソコン用ＷＥＢブラウザを起動させるので、横が800ピクセルであるＷＥＢページであれば、横幅全部を表示できるので、ＷＥＢページの確認を容易にすることができる。
【００６１】
この第３実施形態のセンサとして、メカニカルセンサを用いた例で説明したが、第２実施形態で説明した加速度センサを使用しても構わない。
【００６２】
また、第２実施形態の携帯端末と同様に、センサの検知するタイミングを遅延させることにより、ブラウザを起動させる操作後に、ユーザが表示部１００２を縦向きから横向きに回動させた場合でも、パソコン用ブラウザが選択され起動するように構成しても構わない。
【００６３】
第２実施形態や第３実施形態で、その携帯端末の例を、携帯電話として説明したが、これ以外にもＰＨＳ（Personal Handy-phone System）やＰＤＡ（Personal Digital Assistants、個人用携帯情報端末）やインターネットに接続できる携帯型のゲーム機等に適用しても構わない。
【図面の簡単な説明】
【００６４】
【図１】本発明の第１実施形態を示す携帯端末の概略構成図である。
【図２】本発明の第２実施形態を示す携帯端末の斜視図である。
【図３】同第２実施形態の携帯端末を示す機能ブロック図である。
【図４】同第２実施形態の携帯端末のブラウザ起動時の制御動作を示すフローチャートである。
【図５】同第２実施形態の携帯端末において表示部を上に向けた状態で携帯端末用ブラウザが起動した状態を示す概略図である。
【図６】同第２実施形態の携帯端末において表示部を左に向けた状態でパソコン用ブラウザが起動した状態を示す概略図である。
【図７】同第２実施形態の携帯端末において表示部を右に向けた状態でパソコン用ブラウザが起動した状態を示す概略図である。
【図８】同第２実施形態の携帯端末において表示部を縦方向としたときにユーザがパソコン用ブラウザを起動させた際の表示状態を示す説明図である。
【図９】同第２実施形態の携帯端末において表示部を横方向としたときに制御部がパソコン用ブラウザを起動させた際の表示状態を示す説明図である。
【図１０】同第３実施形態の携帯端末において表示部を横向きに回動させた際にパソコン用ブラウザを起動させた状態を示す概略図である。
【符号の説明】
【００６５】
１０１    携帯端末
１０２    表示部
１０３    第１ブラウザ
１０４    第２ブラウザ
１０５    検知手段
１０６    選択手段
１０７    制御手段
２０１    携帯端末
２０２    上部筐体
２０３    下部筐体
２０４    ヒンジ部
２０５    表示部
２０６    表示画面上
２０７    表示画面右
２０８    表示画面下
２０９    表示画面左
２１０    センサ
２１１    受話部
２１２    キー操作部
２１３    通話部
３０１    アンテナ
３０２    無線部
３０３    ＲＯＭ
３０４    ＲＡＭ
３０５    制御部
５０１    画面左上端部
６０１    画面左上端部
７０１    画面左上端部
１００１    携帯端末
１００２    表示部
１００３    上部筐体
１００４    下部筐体
１００５    角部
【図１】
0005277590.tif 000002
【図２】
0005277590.tif 000003
【図３】
0005277590.tif 000004
【図４】
0005277590.tif 000005
【図５】
0005277590.tif 000006
【図６】
0005277590.tif 000007
【図７】
0005277590.tif 000008
【図８】
0005277590.tif 000009
【図９】
0005277590.tif 000010
【図１０】
0005277590.tif 000011